(57)【要約】      （修正有）【課題】射出成形機の成形条件、測定値データ等の各種データを、簡易で安全性の高い方法で暗号化して外部記憶媒体に保存するデータ保存方法を提供する。【解決手段】射出成形機１の記憶装置５に保存されている成形条件、各種測定値データ、画面のハードコピーである画像データ等のデータを、外部記憶媒体８に保存するとき、操作者が保有しているＩＤカード１３内に格納されている識別番号１５をキーにして暗号化する。パーソナルコンピュータによって読み出すときには、ＩＤカード１３をパーソナルコンピュータ用ＩＤカード読み取り装置によって読み込んで識別番号１５を得て、この識別番号１５によって非暗号化する。【選択図】図１
2012076426.tif 000002
【特許請求の範囲】
【請求項１】
射出成形機のコントローラに保存されているデータを外部記憶媒体に保存するとき、
該コントローラに設けられているＩＤカード読み取り装置によって、ＩＤカードを非接触で読み込み、該ＩＤカード内に保存されているユニークな番号である識別番号を得、該識別番号をキーとして前記データを暗号化して前記外部記憶媒体に保存することを特徴とする射出成形機のデータ保存方法。
【請求項２】
請求項１に記載の方法において、前記識別番号は前記ＩＤカードの製造番号であることを特徴とする射出成形機のデータ保存方法。
【請求項３】
請求項１または２に記載の方法において、前記データは、成形条件、前記射出成形機に設けられている各種センサによって測定された測定値データ、または前記コントローラに設けられている表示装置の画面ハードコピーである画像データからなることを特徴とする射出成形機のデータ保存方法。
【請求項４】
請求項１〜３のいずれかの項に記載の方法において、前記外部記憶媒体はＵＳＢフラッシュメモリであることを特徴とするデータ保存方法。
【請求項５】
請求項１〜４のいずれかの項に記載の方法によって暗号化されたデータが保存された外部記憶媒体から、パーソナルコンピュータによって前記データを読み込むとき、パーソナルコンピュータ用ＩＤカード読み取り装置によって前記ＩＤカードから識別番号を読み取り、該識別番号をキーとして非暗号化することを特徴とする射出成形機のデータの読み取り方法。
【請求項６】
請求項１〜４のいずれかの項に記載の方法を実施するコントローラを備えた射出成形機。
【発明の詳細な説明】
【技術分野】
【０００１】
本発明は、射出成形機に設定されている成形条件、射出成形機において測定される測定値データ等の各種データを、外部記憶媒体に保存するデータ保存方法、および射出成形機に関するものである。
【背景技術】
【０００２】
射出成形機は、従来周知のように、加熱シリンダと該加熱シリンダ内で回転方向と軸方向とに駆動可能に設けられているスクリュとからなる射出装置、一対の金型、これらの金型を型締する型締装置、成形品を突き出すエジェクタ装置、等から構成されている。このような各装置には、溶融樹脂の温度や加熱シリンダの温度を測定する温度センサ、射出時や保圧時の溶融樹脂の圧力を測定する圧力センサ、スクリュの位置を測定する位置センサ等の各種のセンサが設けられ、温度、圧力、位置等の測定値データが所定の周期で測定され履歴データとしてコントローラ内の記憶装置に保存されている。また型締力、樹脂温度、射出速度、スクリュ位置等の成形条件もコントローラ内の記憶装置に格納されている。射出成形機には、画面表示と操作入力が行えるＬＣＤディスプレイ等の表示装置も設けられており、測定値データや成形条件、あるいは異常が検出されたときには警報が表示されるようになっている。そして、オペレータからの指令によって、表示装置に表示されている画面がハードコピーされ、コントローラ内の記憶装置に保存できるようになっている。これらの記憶装置内に保存されている各種のデータは、ＵＳＢフラッシュメモリ等の外部記憶媒体にコピーすることができ、外部に持ち出して汎用コンピュータに取り込んで、運転状況を解析したり、報告書を作成することができる。あるいは、単に成形条件を外部記憶媒体に保存して保管しておき、後日外部記憶媒体からコントローラ内の記憶装置に戻す、いわゆるリストアすることもできる。このような外部記憶媒体にコピーされるデータは、製造技術に関するノウハウであるので、誤って第三者に入手されないようにセキュリティに配慮する必要がある。
【先行技術文献】
【特許文献】
【０００３】
【特許文献１】特許第２６２０１５２号公報
【特許文献２】特許第４３６４１４７号公報
【０００４】
本発明の直接的な文献ではないが特許文献１には、射出成形機において、作業者毎に操作可能な内容を規定して、セキュリティを確保する方法が記載されている。特許文献１によると、作業者のそれぞれにセキュリティに関する情報が記載されたＩＣカードが配布される。これらのカードには、射出成形機の操作のうち許可されている操作範囲、あるいは射出成形機のコントローラに設けられている画面で表示可能なデータの範囲が定義されている。射出成形機を操作するときはＩＣカードをカードリーダに挿入して操作する必要があり、許可された範囲でのみ射出成形機を操作したり、データ表示できるようになっている。
【０００５】
特許文献２も本発明の直接的な文献ではないが、この文献には、射出成形機において操作した履歴は、作業者の情報と共に保存され、操作した履歴を射出成形機のコントローラの画面に表示するときには、作業者の情報と共に表示して、作業者を特定できるようにする方法が記載されている。特許文献２には、作業者を特定するために、ＩＤカードによって作業者を識別する点も記載されている。
【発明の概要】
【発明が解決しようとする課題】
【０００６】
特許文献１に記載の方法を応用すれば、射出成形機内の各種データを外部記憶媒体にコピーする操作を作業者によって制限することができるので、ある程度セキュリティは確保することができる。また特許文献２に記載の方法によっても、操作した作業者を特定することができるので、ある程度セキュリティを確保することはできる。しかしながら、問題点が見受けられる。具体的にはデータが保存された外部記憶媒体が第三者に渡ってしまうと、自由にデータを閲覧したり解析することができてしまう点が問題になる。つまり、射出成形機において外部記憶媒体にデータを保存できる許可を一部の作業者に制限したとしても、外部記憶媒体が紛失して第三者に渡ってしまうと、製造技術に関するノウハウは容易に流出してしまう。データをパスワードを使って暗号化して保存し、外部記憶媒体を不正に入手した第三者が読めないように保護する方法も考えられる。しかしながら、この方法についても問題が認められる。例えば暗号化するためのキーをパスワードによって与える場合、キー入力時に第三者に見られてしまうと容易にパスワードが盗まれてしまう。また、パスワードはある程度文字列長が長くないと容易に類推されてセキュリティが破られてしまうが、長いパスワードを設定するとパスワードを亡失してしまう恐れもあるしパスワードの入力作業が繁雑になるという問題もある。暗号化する機能を外部記憶媒体の方に設ける方法もある。例えば、暗号化機能を有するＵＳＢフラッシュメモリが周知であるが、このようなＵＳＢフラッシュメモリにデータを保存するときに予め設定された暗号化キーと共に保存すると、暗号化キーがなければデータを読み出すことはできないので優れてはいる。しかしながらこのようなＵＳＢフラッシュメモリを利用する場合には、射出成形機のコントローラにも専用の暗号化制御プログラムを組み込む必要がある。そうすると、特定のＵＳＢフラッシュメモリしか利用することができないという問題が生じてしまう。
【０００７】
本発明は、上記したような従来の問題点あるいは課題を解決した、射出成形機のデータ保存方法、および射出成形機を提供することを目的としており、具体的には、射出成形機の成形条件、測定値データ等の各種データを外部記憶媒体に保存するとき、安全性が高く簡易な方法によって暗号化することができ、それによって、第三者が外部記憶媒体を入手したとしてもデータを読み出すことができず、製造技術のノウハウの流出を防止することができるデータ保存方法、およびそのようなデータ保存方法を実施することができる射出成形機を提供することを目的としている。
【課題を解決するための手段】
【０００８】
本発明は、上記目的を達成するために、射出成形機に保存されている成形条件、各種測定値データ、画面のハードコピーである画像データ等のデータを外部記憶媒体に保存するとき、操作者が所有しているＩＤカード内に格納されている識別番号をキーにして暗号化するように構成する。そして、暗号化されたデータをパーソナルコンピュータによって読み出すときには、ＩＤカードをパーソナルコンピュータ用ＩＤカード読み取り装置によって読み込んで識別番号を得て、この識別番号によって非暗号化するように構成する。
【０００９】
すなわち、請求項１に記載の発明は、上記目的を達成するために、射出成形機のコントローラに保存されているデータを外部記憶媒体に保存するとき、該コントローラに設けられているＩＤカード読み取り装置によって、ＩＤカードを非接触で読み込み、該ＩＤカード内に保存されているユニークな番号である識別番号を得、該識別番号をキーとして前記データを暗号化して前記外部記憶媒体に保存するように構成される。
請求項２に記載の発明は、請求項１に記載の方法において、前記識別番号は前記ＩＤカードの製造番号であるように構成される。
請求項３に記載の発明は、請求項１または２に記載の方法において、前記データは、成形条件、前記射出成形機に設けられている各種センサによって測定された測定値データ、または前記コントローラに設けられている表示装置の画面ハードコピーである画像データからなるように構成される。
請求項４に記載の発明は、請求項１〜３のいずれかの項に記載の方法において、前記外部記憶媒体はＵＳＢフラッシュメモリであるように構成される。
請求項５に記載の発明は、請求項１〜４のいずれかの項に記載の方法によって暗号化されたデータが保存された外部記憶媒体から、パーソナルコンピュータによって前記データを読み込むとき、パーソナルコンピュータ用ＩＤカード読み取り装置によって前記ＩＤカードから識別番号を読み取り、該識別番号をキーとして非暗号化するように構成される。
請求項６に記載の発明は、請求項１〜４のいずれかの項に記載の方法を実施するコントローラを備えた射出成形機として構成される。
【発明の効果】
【００１０】
以上のように、本発明によると、成形条件、測定値データ、または表示装置の画面ハードコピーである画像データ等の射出成形機のコントローラに保存されているデータを、外部記憶媒体に保存するとき、コントローラに設けられているＩＤカード読み取り装置によって、ＩＤカードを非接触で読み込んで識別番号を得、この識別番号をキーとしてデータを暗号化するので、第三者がデータが保存された外部記憶媒体を不正に入手しても、データを読み出すことはできない。そして、識別番号はＩＤカード内に保存されているので、パスワードのように盗まれたり、類推されて解読される恐れもない。そして格別にキーボード入力をする必要がないのでシンプルに操作できる。つまりシンプルでありながら、確実にデータが漏洩することを防止することができ、高いセキュリティが確保されている。また、他の発明によると識別番号はＩＤカードの製造番号からなる。ＩＤカードには書換可能なメモリが搭載されているタイプもあるが、製造番号は通常上書き出来ないメモリ領域に記録されており、製造時にユニークな番号が付与されるようになっている。従って、製造番号を書き換える偽造をすることができず、さらに高いセキュリティが得られる。また、ＩＤカードの製造番号を識別番号として採用すると、鉄道の定期券、電子マネーカードのように、製造番号が記載されて読み出すことができるようになっているＩＤカードであれば、これらも利用することができる。そうすると、新たにＩＤカードを所持する必要がなく便利である。
【図面の簡単な説明】
【００１１】
【図１】本発明の実施の形態に係る射出成形機のコントローラを模式的に示すブロック図である。
【図２】本実施の形態に係る射出成形機における、外部記憶媒体へのデータの保存方法を示すフローチャートである。
【発明を実施するための形態】
【００１２】
以下、本発明の実施の形態を説明する。本実施の形態に係る射出成形機１は、従来周知のように、加熱シリンダとスクリュとからなる射出装置と、この射出装置から溶融樹脂が射出される型装置とから構成されている。このような射出成形機には射出成形機１を制御するコントローラ２が設けられている。コントローラ２は、図１に示されているように、ＣＰＵ３、このＣＰＵ３とバス４によって接続された各装置、すなわち内部メモリからなる１次記憶装置５ａ、ハードディスク５ｂ等からなる２次記憶装置５ｂ、タッチパネルを備え入力操作が可能なディスプレイからなる表示装置７、ＵＳＢフラッシュメモリや光磁気ディスク、メモリカード等の外部記憶媒体８をセットすることができる外部記憶装置ドライブ９、射出成形機１との間でデータの入出力を行う入出力インターフェース１０等から構成されている。１次記憶装置５ａと２次記憶装置５ｂは共にデータを保存する装置であるので、本実施の形態においては一括して記憶装置５として説明する。
【００１３】
本実施の形態に係る射出成形機１においては、ＩＤカードと無線通信をすることができる無線通信装置１２が設けられ、無線通信装置１２はコントローラ２のバス４に接続されている。射出成形機１の操作者は、保持しているＩＤカードをこの無線通信装置１２にかざして読み取らせ、それによってログインしたり、必要な操作が許可されるようになっている。
【００１４】
従来周知の射出成形機１は、図１には簡略的に示されているが、加熱シリンダと該加熱シリンダ内で回転方向と軸方向とに駆動可能なスクリュを備え加熱シリンダ内で溶融した溶融樹脂を金型に射出する射出装置、一対の金型、これらの金型を型締する型締装置等から構成されている。射出成形は、これらの装置を適切に制御して行われるようになっているが、制御するための条件、すなわち成形条件はコントローラ２内の記憶装置５に保存されている。また、これらの装置には各種のセンサが設けられ、例えば、型締装置には型締力を測定する歪みセンサが、射出装置には、溶融樹脂の温度を測定する温度センサ、射出圧力を測定する圧力センサ、スクリュの位置を検出する位置センサ等が設けられている。このような各種センサによって測定される、温度、圧力、位置等の測定値データは、入出力インターフェース１０を介してコントローラ２に入力されるようになっているが、これらの測定値データも記憶装置５に保存されている。表示装置７においては、測定値データや、記憶装置５内に保存されている各種のデータを所定の画面に表示することができるが、操作者の要求によって画面を電子ファイルである画像データとしてハードコピーすることができる。この画像データも記憶装置５に保存されている。
【００１５】
本実施の形態に係る射出成形機１においては、認証した操作者しか操作が許可されないようになっており、そして記憶装置５内に保存されている成形条件、測定値データ、そして画像データは、ＵＳＢフラッシュメモリ、光磁気ディスク、メモリカード等の外部記憶媒体に暗号化してコピーすることができるようになっている。本実施の形態においては操作者の認証と暗号化においては、操作者を特定するユニークな番号である識別番号が使用されることになる。全ての操作者は、それぞれ自分のＩＤカードを所持しており、ＩＤカードにはこの識別番号が記録されている。ＩＤカードは、本実施の形態に係る射出成形機１の専用のカードとして提供することもでき、この場合には、操作者を特定する所定の操作者コードが記録され、それぞれの操作者に配布されることになる。この場合には操作者コードが識別番号になる。本実施の形態においては、ＩＤカードは鉄道の定期券として使用されているような汎用的なカードが利用されるようになっている。そしてＩＤカードに予め記録されているＩＤカードの製造番号が識別番号として利用される。以下、図２も参照しながら射出成形機１における操作を説明する。
【００１６】
操作者は、射出成形機１において所持しているＩＤカード１３を無線通信装置１２にかざす。そうするとＩＤカード１３内の無線通信部１４とコントローラ２内の無線通信装置１２が無線通信し、無線通信装置１２はＩＤカード内に保存されている識別番号１５を読み取る（ステップＳ１）。記憶装置５内に予め登録されている操作者の識別番号のリストを照会して、読み取られた識別番号が存在するか否かをチェックする。存在する場合にはログインを許可し、操作者は射出成形機１を操作できることになる（ステップＳ２）。操作者は所定の操作を要求すると、コントローラ２は操作要求を受け付ける（ステップＳ３）。ログインした時点から、あるいは前回操作した時点から、経過した時間、すなわち未操作の時間をチェックする（ステップＳ４）。未操作の時間が規定時間を超過していたら、コントローラ２は再度操作者の認証を要求するために、ステップＳ１に戻る。超過していない場合には、各種操作を実行する（ステップＳ５）。操作を実行後、ステップＳ３に戻り次の操作を受け付ける。あるいは要求によりログアウトする（ステップＳ６）。
【００１７】
ステップＳ５の操作が、外部記憶媒体へのデータの保存操作である場合、操作者は予め外部記憶装置ドライブ９に、ＵＳＢフラッシュメモリ等の外部記憶媒体８を挿入する。コントローラ２は記憶装置５から所定のデータを読み込む（ステップＳ７）。データを識別番号で暗号化する（ステップＳ８）。暗号化されたデータを外部記憶媒体８に書き込む（ステップＳ９）。コントローラ２は前記したようにステップＳ３に戻る。操作者は外部記憶媒体８を外部記憶装置ドライブ９から抜いて、データを外部に持ち出すことができる。
【００１８】
外部記憶媒体８によって持ち出されたデータは、再度外部記憶媒体８を外部記憶装置ドライブ９に挿入して、記憶装置５内に戻すこともできる。すなわちデータをリストアをすることができる。この場合には、暗号化されたデータを非暗号化するために、暗号化時に使用された識別番号が必要になる。従って、外部記憶媒体８にデータを保存した操作者が、認証を受けてコントローラ２にログインして操作する必要がある。外部記憶媒体８によって持ち出したデータは、パーソナルコンピュータにおいて読み出すこともできる。パーソナルコンピュータには、パーソナルコンピュータ用ＩＤカード読み取り装置が接続され、非暗号化するための所定のプログラムがインストールされている必要がある。パーソナルコンピュータの外部記憶装置ドライブに、データが保存された外部記憶媒体８を挿入し、そしてＩＤカードをパーソナルコンピュータ用ＩＤカード読み取り装置にかざして識別番号を読み取らせる。読み取られた識別番号によって、データは非暗号化される。パーソナルコンピュータ上で射出成形機のデータを利用できる。
【符号の説明】
【００１９】
１    射出成形機
２    コントローラ                  ３    ＣＰＵ
５    記憶装置                      ７    表示装置
８    外部記憶媒体                  ９    外部記憶装置ドライブ
１０    入出力インターフェース      １２    無線通信装置
１３    ＩＤカード                  １４    無線通信部
１５    識別番号
【図１】
2012076426.tif 000003
【図２】
2012076426.tif 000004